(57)【特許請求の範囲】
【請求項１】
使用者が把持する把持部と、
前記把持部の一端に設けられ、コンプレッサーにより高圧で圧送されて皮膚の角質層を貫通し、当該皮膚に針治療のような刺激を与え得る気体または液体が噴射される直径が１．０ｍｍ以下の単一の噴射口を有する噴射部と、
前記噴射部に接続され、前記噴射口と使用者の皮膚との間に一定の空間を形成する空間形成部と、
前記空間形成部の側面に設けられ、前記噴射部により噴射された気体または液体の一部が漏れる開口部と、を含み、
前記把持部は、前記噴射部により噴射される液体が溜められるタンクを有する美容機器。
【請求項２】
前記開口部は、前記空間形成部の使用者の皮膚に接触する部分に設けられる請求項１に記載の美容機器。
【請求項３】
前記噴射部により噴射されて皮膚の角質層を貫通した液体が、当該皮膚の内側に浸透するものである請求項１または２に記載の美容機器。
【請求項４】
前記噴射口は、直径が０．５ｍｍ以下である請求項１〜３のいずれか１項に記載の美容機器。
【請求項５】
前記空間形成部は交換可能であり、前記噴射口と使用者の皮膚との間に生じる一定の空間がそれぞれ異なる複数の形状を有するものである請求項１〜４のいずれか１項に記載の美容機器。
【発明の詳細な説明】
【技術分野】
【０００１】
本発明は、皮膚に空気を注入して、まるで鍼治療のように皮膚を刺激して血行促進を図り、また、皮膚に溶液を透過させる美容機器に関するものである。
【背景技術】
【０００２】
従来、美容や健康のために、皮膚を刺激して血行をよくすることが知られている。そして、このように美容や健康のために、皮膚を刺激して血行をよくする器具や方法が知られている。
【０００３】
例えば、特許文献１には、顔の皮膚に常に適度な刺激を与えることができ、更に、目元等の起伏が激しく且つ小面積の部分の皮膚にも容易に刺激を与える事ができると共に、顔等の皮膚に肌に刺激を加える際の手の動きを軽減する皮膚刺激具が開示されている。
【０００４】
また、特許文献２には、皮膚にチップモジュールを接触させながらソリューションを噴射すると同時に、周辺の空気及び皮膚から抜け出る老廃物などの物質を吸入させ、痛み及び傷跡などを誘発するニードルを用いなくても、所定のソリューションを用いて皮膚に対する洗浄や皮膚改善などの効果が得られるようにする皮膚美容装置のハンドピースが開示されている。
【先行技術文献】
【特許文献】
【０００５】
【特許文献１】特開２０１２−２５４２６１号公報
【特許文献２】特表２０１９−５１５７６０号公報
【発明の概要】
【発明が解決しようとする課題】
【０００６】
ここで、引用文献１，２に開示されている発明は、あくまで皮膚の表面を刺激するものである。そのため、鍼治療のような、もっと皮膚に刺激を与える治療を実現できるものではない。しかし、近年はサービスの多様化により、街の美容院のような場所でも、鍼治療のようなサービスの提供が求められている。つまり、誰でも簡単に、鍼治療のような美容サービスの提供を実現することができる機器が求められている。よって、本発明は、誰でも簡単に、鍼治療のような美容サービスの提供を実現することができる美容機器の提供を目的とする。
【課題を解決するための手段】
【０００７】
本発明の美容機器は、使用者が把持する把持部と、把持部の一端に設けられ、コンプレッサーにより圧送された気体または液体が噴射される微細な噴射口を有する噴射部と、噴射部に接続され、噴射口と使用者の皮膚との間に一定の空間を形成する空間形成部と、空間形成部の側面に設けられ、噴射部により噴射された気体または液体の一部が漏れる開口部と、を含む。これにより、噴射口から皮膚に強い刺激を与え得る気体または液体が噴出されるとともに、噴射口と使用者の皮膚との間には、常に一定の距離が生じる。
【発明の効果】
【０００８】
本発明の美容機器によれば、上述した構成により、噴射口から使用者の皮膚に強い刺激を与え得る気体または液体が噴出されるとともに、噴射口と皮膚との間には常に一定の距離が生じるため、使用者の皮膚に鍼治療のような刺激を与えることができつつ、噴射口と皮膚との距離が近過ぎて皮膚を傷めることを防ぎ、誰が使用しても安全にかつ十分な効果を得ることができる。
【図面の簡単な説明】
【０００９】
【図１】本発明の実施の形態に係る美容機器の側面図である。
【図２】本発明の実施の形態に係る美容機器の平面図である。
【図３】本発明の実施の形態に係る美容機器の使用例を示す説明図である。
【図４】本発明の実施の形態に係る美容機器の分解図である。
【発明を実施するための形態】
【００１０】
以下に本発明の実施の形態を詳細に説明するが、以下に記載する構成要件の説明は、本発明の実施態様の一例（代表例）であり、本発明はその要旨を変更しない限り、以下の内容に限定されない。
【００１１】
［美容機器］
図１は、本発明の実施の形態に係る美容機器の側面図である。また、図２は、本発明の実施の形態に係る美容機器の平面図である。美容機器１は、使用者が把持する把持部１０と、コンプレッサー（図示せず）により圧送された気体または液体が噴射される微細な噴射口１１１を有する噴射部１１と、使用者の皮膚との間に一定の空間を形成する空間形成部２０とを含む。コンプレッサーは、外部または内部（例えば、美容機器１内）に設けられる。
【００１２】
また、図４は、本発明の実施の形態に係る美容機器の分解図である。図１，４等に示すように、空間形成部２０は、噴射部１１に装着して、噴射口１１１と使用者の皮膚との間に一定の空間を確保する。
【００１３】
噴射部１１は、コンプレッサーにより圧送された気体や液体が通過するゴム管（図示せず）を内部に含む。また、噴射口１１１は、直径が１．０ｍｍ以下であり、さらには直径が０．５ｍｍ以下であることが好ましい。
【００１４】
空間形成部２０は、その一旦が使用者の皮膚に接触すると、噴射口１１１と当該使用者の皮膚との間に一定の空間が生じるような形状となっている。なお、空間形成部２０には、噴射部１１により噴射された気体または液体の一部が漏れる開口部２０１が設けられている。
【００１５】
また、美容機器１は、注入口１２と、操作部１３と、噴射ボタン１４とを含む。例えば、噴射部１１の噴射口１１１から噴射される液体は、注入口１２から注入され、把持部１０内のタンク（図示せず）に溜められる。そして、コンプレッサーにより、タンク内の液体に圧力がかかり、噴射部１１内のゴム管を通過し、噴射口１１１から噴射される。
【００１６】
操作部１３は、使用者が美容機器１の操作を行う際に操作するボタンや、美容機器１の状態が表示される表示画面を含むものである。ボタンは例えば、美容機器１をＯＮ／ＯＦＦする電源ボタンや、噴射口１１１から噴射される気体や液体の強さを切り替えるモードボタンなどである。表示画面は例えば、このような美容機器１の稼働状態（ＯＮ／ＯＦＦ）や、モード状態などを表示する画面である。
【００１７】
噴射ボタン１４は、美容機器１、噴射部１１またはコンプレッサーなどへ噴射指示を与えるボタンである。例えば、使用者が噴射ボタン１４を押下している間、コンプレッサーへ噴射指示が通知され、噴射口１１１から気体や液体が噴射され続ける。噴射ボタン１４の押下を止めると、噴射も止まる。
【００１８】
また、美容機器１はケーブルＣを含む。ケーブルＣは、コンプレッサーと美容機器１とを結ぶケーブル、電源ケーブル、またはこれらをまとめたケーブルである。これにより、ケーブルＣの接続先のコンプレッサーから、圧縮された空気が美容機器１に対して送られる。また、ケーブルＣの接続先の電源から、美容機器１に対して電力が供給される。
【００１９】
［使用例］
図３は、本発明の実施の形態に係る美容機器の使用例を示す説明図である。図３に示す例では、使用者は、自身の手の甲の皮膚Ｈに対して美容機器１を使用している。また、以下、当該手の甲の皮膚Ｈに対して空気を噴射させる例を示す。
【００２０】
使用者は、操作部１３より美容機器１の電源をＯＮにし、空間形成部２０を自分の皮膚Ｈに接触させる（当てる）。そして、噴射ボタン１４を押下することで、コンプレッサーが作動し、噴射部１１から噴射口１１１を通じて圧送された、非常に強い勢いの空気が噴射される。ここで、店員と客との関係のように、美容機器１を操作する者と、美容機器１により美容サービスの提供を受ける者は別々でもよい。
【００２１】
また、噴射口１１１は微細な孔であるため、噴射口１１１により噴射された非常に強い勢いの空気は、皮膚Ｈの一点に集中して当たる。そのため、その空気が当たった場所は、まるで鍼を打たれたような刺激が与えられる。具体的には、噴射された空気は、皮膚の角質層を貫通し、表皮、真皮まで到達する。
【００２２】
空気ではなく液体（溶液）を皮膚に注入させる場合も同様で、噴射された液体は、皮膚の角質層を貫通し、表皮、真皮まで到達する。ここで、その液体が当たった場所が皮膚の毛穴や汗腺だった場合、付属器官経路により液体が吸収される。液体が当たった場所が皮膚の毛穴や汗腺でなくても、細胞間隙経路（細胞と細胞の間を通過する）や、細胞実質透過経路（細胞内を通過する）により、液体が吸収される。つまり、毛穴のないところに穴を開け得るという効果を奏することができる。
【００２３】
このように、噴射口１１１から噴射された空気は、使用者の皮膚に対して、鍼治療のような刺激を与えることができる。また、噴射口１１１から液体が噴射される場合は、皮膚の内側まで十分に液体を浸透させることができる。
【００２４】
なお、噴射口１１１の直径を１．０ｍｍや０．５ｍｍなどのように変えることで、噴射口１１１により噴射される気体または液体の強さを調整することができる。このような噴射される気体や液体の強さは、噴射口１１１と接続され、噴射される気体や液体が通過するゴム管の直径サイズを変えることでも調整することができる。
【００２５】
これにより、例えば、噴射口１１１の直径が０．５ｍｍの場合は非常に強い気体や液体が噴射されるため熟練者用など、使用者（作業に不慣れな者〜熟練者）や、使用用途（強い刺激を求めているか否か）、使用箇所（手や顔、または顔であってもどの部分か）に応じて、噴射される気体や液体の強さを適宜調整することができる。
【００２６】
また、上述したコンプレッサーが気体や液体に加える圧力も、高圧〜中圧〜低圧と適宜調整することができる。例えば、操作部１３の、噴射される気体や液体の強さを切り替えるモードボタンにより、コンプレッサーが気体や液体に加える圧力を適宜切り替えることができる。よって、この高圧コンプレッサーの圧力と、噴射口１１１の直径とを組み合わせて、噴射される気体や液体の強さを自由に調整することができる。
【００２７】
美容機器１を使用する際、使用者の皮膚に接触された空間形成部２０は、噴射口１１１と当該使用者の皮膚との間に一定の空間が生じるような形状となっているため、使用者は、噴射口１１１と皮膚との距離を考えずに、美容機器１を使用することができる。つまり、空間形成部２０を皮膚に接触させれば、噴射口１１１と皮膚との間には適切な距離が生じるため、作業に不慣れな者（例えば、美容院に入りたての新人）でも、熟練者と同じ効果を奏することができる。
【００２８】
特に、噴射口１１１から噴射される気体や液体は、上述したように、皮膚の真皮まで到達するものである。そのため、噴射口１１１と皮膚との距離が近過ぎると、皮膚を傷めてしまう恐れがある。そこで、噴射口１１１と皮膚との間に適切な距離を生じさせることができる空間形成部２０を用いることで、誰が美容機器１を使用した場合でも、皮膚を傷めるおそれはなくなる。
【００２９】
また、空間形成部２０には、噴射部１１により噴射された気体や液体の一部が漏れる開口部２０１が設けられているため、上述したような非常に勢いの強い気体や液体であっても、その気体や液体の一部が漏れることにより、使用者の皮膚を傷めることを防ぐことができる。
【００３０】
さらに、開口部２０１は、空間形成部２０の使用者の皮膚に接触する部分に設けられることが望ましい（図１，３参照）。使用者の皮膚に当たった気体や液体が、そのまま使用者の皮膚に沿って外部へ漏れやすくなり、細かい気体や液体の勢いの調整が容易に可能となるためである。
【００３１】
なお空間形成部２０は交換可能であり、噴射口１１１と使用者の皮膚との間に生じる一定の空間が、それぞれ異なる複数の形状を有する。つまり空間形成部２０は交換可能なアタッチメントであり、噴射口１１１と使用者の皮膚との間に生じる距離がそれぞれ異なる複数の種類が存在する。
【００３２】
そのため、空間形成部２０は使用者の皮膚の強さ／弱さに応じて適宜交換可能である。具体的には、空間形成部２０は図４に示すように、噴射部１１に、キャップのように被せることで容易に装着することができる。ここで、噴射部１１の一部と、空間形成部２０の一部とが係合することで、工具を用いなくとも空間形成部２０を容易に装着することができる。同時に、空間形成部２０を容易に取り外すこともできる。
【００３３】
よって、例えば、使用者の皮膚が弱い場合、噴射口１１１と当該使用者の皮膚との間に生じる距離が長い空間形成部２０を使用することで、皮膚に当たる気体や液体の強さを調整する（弱くする）ことができる。また、容易に交換可能であるため、衛生的にも優れている。
【００３４】
以上の説明は、本発明の実施の形態についての一例であるため、本発明の要旨を変更しない限り、適宜変更可能である。例えば、操作部１３や噴射ボタン１４の配置や構成などは、使用者が使いやすいように適宜変更可能である。
【産業上の利用可能性】
【００３５】
本発明は、誰でも簡単に、鍼治療のような美容サービスの提供を実現することができる美容機器であり、街の美容院のような場所でも、本発明を用いて鍼治療のような美容サービスを提供することができるため、産業上有用である。
【符号の説明】
【００３６】
１  美容機器
１０  把持部
１１  噴射部
１１１  噴射口
１２  注入口
１３  操作部
１４  噴射ボタン
２０  空間形成部
２０１  開口部
Ｃ  ケーブル
【要約】
【課題】誰でも簡単に、鍼治療のような美容サービスの提供を実現することができる美容機器の提供。
【解決手段】美容機器１は、使用者が把持する把持部１０と、把持部１０の一端に設けられ、コンプレッサーにより圧送された気体または液体が噴射される微細な噴射口１１１を有する噴射部１１と、噴射部１１に接続され、噴射口１１１と使用者の皮膚との間に一定の空間を形成する空間形成部２０と、空間形成部２０の側面に設けられ、噴射部１１により噴射された気体または液体の一部が漏れる開口部２０１とを含む。
【選択図】図１【図１】
0006961276.tif 000002
【図２】
0006961276.tif 000003
【図３】
0006961276.tif 000004
【図４】
0006961276.tif 000005